(57)【要約】【課題】長期間外出中でも自動的に給肥・給水ができる栽培容器を提供することを課題とする。【解決手段】  本発明が上記課題を解決するために提供する栽培容器は、容器１と、同容器１の中に挿入し、その底部上に立ち上げた筒２と、同筒２の中に挿入し、前記容器１の底部の上に開口部において立ち上げたボトル３とより構成することを特徴とするものである。【選択図】図２
2011147433.tif 000002
【特許請求の範囲】
【請求項１】
容器と、この容器の中に挿入し、その底部上に立ち上げた筒と、この筒の中に挿入し、前記容器の底部の上に開口部において立ち上げたボトルとより構成し、前記容器の底部上面とボトルの開口部との面接触部が水の流路となっていることを特徴とする栽培容器。
【請求項２】
前記面接触部に、更に水の流路を形成したことを特徴とする請求項１記載の栽培容器。
【請求項３】
前記水の流路は、開口部の側壁に設け、その大きさを調整する調整手段を備えていることを特徴とする請求項１又は請求項２の栽培容器。
【発明の詳細な説明】
【技術分野】
【０００１】
本発明は、栽培容器に関するものである。
【背景技術】
【０００２】
従来の栽培容器は給肥や給水を継続して行わなければならず、人手の掛かる作業を必要とした。長期の外出中に栽培容器の中の植物が枯れてしまう危険があった。栽培容器の中の栽培用土が少量なので保水能力が低く、給水の多くは流出する。その際、栽培用土の中の肥料も水と一緒に流出し、肥料が不足してしまう問題もあった。
【発明の概要】
【発明が解決しようとする課題】
【０００３】
長期間外出しても自動的に給肥・給水ができる栽培容器を提供することを課題とする。
【課題を解決するための手段】
【０００４】
本発明が上記課題を解決するために提供する栽培容器は、次の（１）、（２）及び（３）に記載のものである。
（１）容器と、この容器の中に挿入し、その底部上に立ち上げた筒と、この筒の中に挿入し、前記容器の底部の上に開口部において立ち上げたボトルとより構成し、前記容器の底部上面とボトルの開口部との面接触部が水の流路となっていることを特徴とする栽培容器（以下、第１の栽培容器という）。
（２）前記面接触部に、更に水の流路を形成したことを特徴とする前記（１）記載の栽培容器（以下、第２の栽培容器という）。
（３）前記水の流路は、その大きさを調整する調整手段を備えていることを特徴とする前記（１）記載の栽培容器又は前記（２）記載の栽培容器（以下、第３の栽培容器という）。
前記容器の底部に溝を設けてもよい。
前記容器の底部に凸部又は凹部を設けてもよい。
前記ボトルの開口部の端面に凸部又は凹部を設けてもよい。
前記ボトルの開口部の側壁に水の通る切欠き部を設けてもよい。また、その切欠き部にはその大きさを調整する機構を設けてもよい。
前記ボトルの開口部の側壁に水の通る穴を設けてもよい。また、その穴にはその大きさを調整する弁を設けてもよい。
【発明の効果】
【０００５】
花や野菜の栽培に必要な水や液肥を満たしたボトルを栽培容器の筒に差し込むだけで、長期間外出しても自動的に給肥・給水ができる。
【図面の簡単な説明】
【０００６】
【図１】本発明の実施例１の平面図
【図２】図１のＡ−Ａ断面図
【図３】図２の要部拡大図
【図４】本発明の実施例２の要部断面拡大図
【図５】本発明の実施例３の要部断面拡大図
【図６】本発明の実施例４の要部断面拡大図
【図７】本発明の実施例５の要部断面拡大図
【図８】本発明の実施例６の要部断面拡大図
【図９】本発明の実施例７の平面図
【図１０】図９のＢ−Ｂ断面図
【図１１】図１０の要部拡大図
【図１２】本発明の実施例８の要部断面拡大図
【図１３】本発明の実施例９の要部断面拡大図
【発明を実施するための最良の形態】
【０００７】
本発明を実施するための最良の形態を実施例によって説明する。
図１から図３は、第１の栽培容器の実施例１を示す。
図４から図１１は、第２の栽培容器の実施例２から実施例７を示す。
図１２と図１３は、第３の栽培容器の実施例８と実施例９を示す。
［第１の栽培容器の実施例］
【０００８】
図１から図３は第１の栽培容器の実施例１を示す。
【実施例１】
【０００９】
本発明の実施例１を図１、図２、及び図３により説明する。図１は全体構成図であり、図２はその断面図であり、図３は図２の要部断面拡大図である。
【００１０】
［実施例１の構成について説明する］
【００１１】
本実施例１の栽培容器は図２に示すように容器１と、同容器１の中に挿入し、その底部上に立ち上げた筒２と、同筒２の中に挿入し、前記容器１の底部の上に開口部３ａにおいて立ち上げたボトル３とより構成され、さらに栽培用土５を前記筒２の内側を除き、前記容器１の内側に必要量満たしている。
【００１２】
［実施例１の機能について説明する］
【００１３】
図３により説明する。前記ボトル３の中に水や液肥４を必要量満たした同ボトル３の開口部３ａを先頭に、同ボトル３を前記筒２に素早く挿入すると、水や液肥４はボトル３よりこぼれ、水や液肥４の水位は、ボトル３の開口部３ａと容器１の底部上面との接触面より上の水位Ｌとなる。このときボトル３の中の水や液肥４は放出されないで、同ボトル３内にとどまっている。
【００１４】
前記筒２の底部に溜った水や液肥４は同筒２底部から外に浸透し、さらに栽培用土５の上部へ浸透していき、前記筒２の中の水位Ｌが下がる。水位Ｌが前記容器１の底部まで下がると、同容器１底部の歪みや凸凹、又は前記ボトルが斜めに挿入されることによる前記容器１底部上面とボトル３の開口部３ａとの隙間から同ボトルの中の水や液肥４は放出される。放出された水や液肥４は筒２底部から外に浸透していく。ボトル３から放出される水や液肥４の量より、筒２の底部から外に浸透していく水や液肥４のほうが少なければ、水位Ｌがある程度上がった段階でボトル３からの放出は停止される。
矢符は水の流れ方向を示す。
【００１５】
前記ボトル３内の水や液肥４がなくなるまで、上述のように、同ボトル３から同ボトル３内の水や液肥４を容器１の底部とボトル３の開口部３ａとの隙間から水や液肥４が放出され、前記筒２底部から前記容器１内の栽培用土５に必要な水や液肥４を供給する。
［第２の栽培容器の実施例］
【００１６】
次は第２の栽培容器の実施例について説明する。
第２の栽培容器の実施例は実施例２、実施例３、実施例４、実施例５、実施例６及び実施例７である。
【実施例２】
【００１７】
本発明の実施例２を図４により説明する。図４は実施例２の要部断面拡大図である。
［実施例１と異なる点］
【００１８】
実施例２に使用している金網６は、ボトル３の開口部３aと容器１の底部上面との間に通気性および通水性のある隙間を設けて、水や液肥４を放出し易くしている。また、筒の中に異物が混入しないように底と側壁のあるフタ７を設けている。
金網６とフタ７を設けていることが、実施例１に比べて異なる点である。
【００１９】
［実施例２の構成について説明する］
【００２０】
本実施例２の栽培容器は容器１と、同容器１の中に挿入し、その底部上に立ち上げた筒２と、同筒２の中に挿入し、前記容器１の底部の上に設けた金網７と、同金網７の上に開口部３ａにおいて立ち上げたボトル３と、同ボトル３と前記筒２の上にかぶせる側壁のあるフタ７とより構成され、さらに栽培用土５を前記筒２の内側を除き、前記容器１の内側に必要量満たしている。
【００２１】
［実施例２の機能について説明する］
【００２２】
前記ボトル３の中に水や液肥４を必要量満たした同ボトル３の開口部３aを先頭に、同ボトル３を前記筒２に素早く挿入すると、水や液肥４はボトル３よりこぼれ、水や液肥４の水位は、金網６の上の前記ボトル３開口部３aより上の水位Ｌとなる。このとき同ボトル３の中の水や液肥４は放出されないで、同ボトル３内にとどまっている。
【００２３】
前記筒２の底部に溜った水や液肥４は、同筒２底部から外に浸透し、さらに栽培用土５の上部へ浸透していき、前記筒２の底部の水位Ｌが下がる。同水位Ｌが金網６の上の前記ボトル３開口部３aより下がると、同ボトル３の中の水や液肥４が流出し、筒２の底部の水位Ｌが上がる。矢符は水の流れ方向を示す。
【００２４】
前記ボトル３内の水や液肥４が放出され、筒２の底部の水位Ｌが前記ボトル３の開口部３aより上がると、同ボトル３内の水や液肥４の放出は停止される。
【００２５】
前記ボトル３内の水や液肥４がなくなるまで、上述のように、同ボトル３から同ボトル３内の水や液肥４の、放出・停止を繰り返し、その間、前記容器１内の栽培用土５に必要な水や液肥４を供給する。
【００２６】
本実施例２の特徴は、ボトル３内の水や液肥４の放出を容易にするため、同ボトル３の開口部３ａと容器の底面とに金網６を設けたことと、筒２のフタ７を設けたことである。
【実施例３】
【００２７】
本発明の実施例３を図５により説明する。図５は実施例３の要部断面拡大図である。
［実施例１と異なる点］
【００２８】
実施例３に使用しているボトル３の開口部３aの側壁３ｂ外径に嵌った開口８aのある巻ブッシュ８は、ボトル３の開口部３aと容器１の底部上面との間に隙間Ｈ２を設け、開口８aが水や液肥４の放出口になっている。また、筒の中に異物が混入しないように天板に足のついたフタ９を設けている。
巻ブッシュ８とフタ９を設けていることが、実施例１に比べて異なる点である。
【００２９】
［実施例３の構成について説明する］
【００３０】
本実施例３の栽培容器は容器１と、同容器１の中に挿入し、その底部上に立ち上げた筒２と、同筒２の中に挿入し、前記容器１の底部の上にボトル３の開口部３aの側壁３ｂ外径に嵌った巻ブッシュ８の端面において立ち上げたボトル３と、同ボトル３と前記筒２の上にかぶせる天板に足の付いたフタ９とより構成され、さらに栽培用土５を前記筒２の内側を除き、前記容器１の内側に必要量満たす。
【００３１】
［実施例３の機能について説明する］
【００３２】
前記ボトル３の中に水や液肥４を必要量満たした同ボトル３の開口部３aの側壁３ｂ外径に嵌った巻ブッシュ８を先頭に、同ボトル３を前記筒２に素早く挿入すると、水や液肥４はボトル３よりこぼれ、水や液肥４の水位は、ボトル３の開口部３a高さＨ２より上の水位Ｌとなる。このときボトル３の中の水や液肥４は放出されないで、同ボトル３内にとどまっている。
【００３３】
前記筒２の底部に溜った水や液肥４は筒２底部から外に浸透し、さらに栽培用土５の上部へ浸透していき、前記筒２の底部の水位Ｌが下がる。水位Ｌがボトル３開口部３a高さＨ２より下がると、同ボトル３の中の水や液肥４はボトル３開口部３aより巻きブッシュ８の開口８ａを通り、前記筒２の底部に放出され、同筒２の内側の水位Ｌが上がる。
矢符は水の流れ方向を示す。
【００３４】
前記ボトル３内の水や液肥４が放出され、前記筒２の底部の水位Ｌがボトル３開口部３a高さＨ２より上がると、同ボトル３内の水や液肥４の放出は停止される。
【００３５】
前記ボトル３内の水や液肥４がなくなるまで、上述のように、同ボトル３から同ボトル３内の水や液肥４の、放出・停止を繰り返し、その間、前記容器１内の栽培用土５に必要な水や液肥４を供給する。
【００３６】
本実施例３の特徴は、ボトル３内の水や液肥４の放出を容易にするためボトル３の側壁３ｂに、ボトル開口部と容器１の底部とに隙間Ｈ２のできる開口８ａのある巻きブッシュ８設けたことと、フタ９を設けたことである。
【実施例４】
【００３７】
本発明の実施例４を図６により説明する。図６は実施例４の要部断面拡大図である。
［実施例１と異なる点］
【００３８】
実施例４に使用しているボトル３の開口部３aの側壁３ｂに巻いた巻線１０は、ボトル３の開口部３aと容器１の底部上面との間に隙間Ｈ３を設けている。また、筒の中に異物が混入しないように折り曲げたフタ１１を設けている。
巻線１０とフタ１１を設けていることが、実施例１に比べて異なる点である。
【００３９】
［実施例４の構成について説明する］
【００４０】
本実施例４の栽培容器は容器１と、同容器１の中に挿入し、その底部上面に立ち上げた筒２と、同筒２の中に挿入し、前記容器１の底部の上にボトル３の開口部３aの側壁３ｂに巻いた巻線１０の端面において立ち上げたボトル３と、前記巻線１０と、前記ボトル３と前記筒２の上の折り曲げたフタ１１とより構成され、さらに栽培用土５を前記筒２の内側を除き、前記容器１の内側に必要量満たす。
【００４１】
［実施例４の機能について説明する］
【００４２】
前記ボトル３の中に水や液肥４を必要量満たした同ボトル３の開口部３aの側壁３ｂに巻いた巻線１０を先頭に、同ボトル３を前記筒２に素早く挿入すると、水や液肥４はボトル３よりこぼれ、水や液肥４の水位は、ボトル３開口部３a高さＨ３より上の水位Ｌとなる。このときボトル３の中の水や液肥４は放出されないで、同ボトル３内にとどまっている。
【００４３】
前記筒２の底部に溜った水や液肥４は筒２の底部から外に浸透し、さらに栽培用土５の上部へ浸透していき、前記筒２の底部の水位Ｌが下がる。水位Ｌがボトル３開口部３a高さＨ３より下がると、同ボトル３の中の水や液肥４が放出され、筒２の底部の水位Ｌが上がる。
矢符は水の流れ方向を示す。
【００４４】
前記ボトル３内の水や液肥４が放出され、筒２の底部の水位Ｌがボトル３の開口部３a高さＨ３より上がると、同ボトル３内の水や液肥４の放出は停止される。
【００４５】
前記ボトル３内の水や液肥４がなくなるまで、上述のように、同ボトル３から同ボトル３内の水や液肥４の、放出・停止を繰り返し、その間、前記容器１内の栽培用土５に必要な水や液肥４を供給する。
【００４６】
本実施例４の特徴は、ボトル３内の水や液肥４の放出を容易にするためボトル３の開口部３ａの側壁３ｂに、同ボトル開口部３ａと容器１の底部とに隙間Ｈ３のできる巻線１０を設けたことと、フタ１１を設けたことである、
【実施例５】
【００４７】
本発明の実施例５を図７により説明する。図７は実施例５の要部断面拡大図である。
［実施例１と異なる点］
【００４８】
実施例５に使用している容器１２は同容器１２の底部上面にボトル３の開口部３a開口径より小さな幅と深さＨ４の溝１２ａを縦横に設けている。同溝１２ａを設け、同容器１２の底部上面にボトル３の開口部３ａにおいて立ち上げた、同ボトル３の開口部３ａより水や液肥４が放出されやすいようになっている。
前記容器１２の底部上面に溝１２ａを設けていることが、実施例１に比べ、異なる点である。
【００４９】
［実施例５の構成について説明する］
【００５０】
本実施例５の栽培容器は容器の底部上面にボトルの開口部開口口径より小さな幅と深さＨ４の溝１２ａを持つ容器１２と、同容器１２の中に挿入し、その底部上面に立ち上げた筒２と、同筒２の中に挿入し、前記容器１２の底部の上に開口部において立ち上げたボトル３とより構成され、さらに栽培用土５を前記筒２の内側を除き、前記容器１の内側に必要量満たす。
【００５１】
［実施例５の機能について説明する］
【００５２】
前記ボトル３の中に水や液肥４を必要量満たした同ボトル３の開口部３aを先頭に、同ボトル３を前記筒２に素早く挿入すると、水や液肥４はボトル３よりこぼれ、水や液肥４の水位は、ボトル３の開口部３ａより上の水位Ｌとなる。このときボトル３の中の水や液肥４は放出されないで、同ボトル３内にとどまっている。
【００５３】
前記筒２の底部に溜った水や液肥４は筒２底部から外に浸透し、さらに栽培用土５の上部へ浸透していき、前記筒２の底部の水位Ｌが下がる。水位Ｌが前記ボトル３の開口部３aの高さＨ４より下がると、同ボトル３の中の水や液肥４は放出され、筒２の底部の水位Ｌが上がる。
矢符は水の流れ方向を示す。
【００５４】
前記ボトル３内の水や液肥４が放出され、筒２の底部の水位Ｌが前記ボトル３の開口部３a高さＨ４より上がると、同ボトル３内の水や液肥４の放出は止まる。
【００５５】
前記ボトル３内の水や液肥４がなくなるまで、上述のように、同ボトル３から同ボトル３内の水や液肥４の、放出・停止を繰り返し、その間、前記容器１２内の栽培用土５に必要な水や液肥４を供給する。
【００５６】
本実施例５の特徴は、ボトル３内の水や液肥４の放出を容易にするため、容器の底部上面に溝を設けたことである。
【実施例６】
【００５７】
本発明の実施例６を図８により説明する。図８は実施例６の要部断面拡大図である。
［実施例１と異なる点］
【００５８】
実施例６に使用しているボトル１３は、同ボトル１３の開口部１３aに水や液肥４が放出し易いように切欠き部１３ｃを設けている。
同切欠き部１３ｃを設けていることが実施例１に比べ、異なる点である。
【００５９】
［実施例６の構成について説明する］
【００６０】
本実施例６の栽培容器は容器１と、同容器１の中に挿入し、その底部上に立ち上げた筒２と、同筒２の中に挿入し、前記容器１の底部の上に切欠き部１３ｃのある開口部１３ａにおいて立ち上げたボトル１３とより構成され、さらに栽培用土５を前記筒２の内側を除き、前記容器１の内側に必要量満たす。
【００６１】
［実施例６の機能について説明する］
【００６２】
前記ボトル１３の中に水や液肥４を必要量満たした同ボトル１３の開口部１３aを先頭に同ボトル１３を前記筒２に素早く挿入すると、水や液肥４はボトル１３よりこぼれ、水や液肥４の水位は、ボトル１３の切欠き高さＨ５の切欠き部１３ｃより上の水位Ｌとなる。このときボトル１３の中の水や液肥４は放出されないで、同ボトル１３内にとどまっている。
【００６３】
前記筒２の底部に溜った水や液肥４は同筒２の底部から外に浸透し、さらに栽培用土５の上部へ浸透していき、前記筒２の底部の水位Ｌが下がる。水位Ｌが前記ボトル１３の開口部１３aの切り欠き部１３ｃの切り欠き高さＨ５より下がると、同ボトル１３の中の水や液肥４が流出し、筒内の水位Ｌが上がる。
矢符は水の流れ方向を示す。
【００６４】
前記ボトル１３内の水や液肥４が放出され、筒２の底部の水位Ｌが前記ボトル１３の開口部１３ａの切欠き部１３ｃ高さＨ５より上がると、同ボトル１３内の水や液肥４の放出は停止される。
【００６５】
前記ボトル６内の水や液肥４がなくなるまで、上述のように、同ボトル１３から同ボトル１３内の水や液肥４の、放出・停止を繰り返し、その間、前記容器１内の栽培用土５に必要な水や液肥４を供給する。
【００６６】
本実施例１３の特徴は、ボトル１３内の水や液肥４の放出を容易にするため、ボトル１３の開口部１３ａに切欠き部１３ｃを設けたことである。
【実施例７】
【００６７】
本発明の実施例７を図９、図１０及び図１１により説明する。図９は全体構成図であり、図１０はそのＢ−Ｂ断面図であり、図１１は図１０の要部拡大図である。
［実施例１と異なる点］
【００６８】
実施例７の栽培容器に使用する容器１４は、下部が皿状に張り出した張り出し部１４ａを有する。ボトルを挿入する筒１５は前記容器１４の張り出し部１４ａの底部上面１４ｂの上に立ち上げる。
前記容器１４の下部が一部皿状に張り出し、その底部上面１４ｂに筒１５及びボトル１３を立ち上げていることが、実施例１に比べ異なる点である。
【００６９】
［実施例７の構成について説明する］
【００７０】
図１０により説明する。本実施例７の栽培容器は、容器の下部を一部皿状に張り出した容器１４と、同容器１４の張り出し部１４ａに挿入し、その底部上面１４ｂ上に立ち上げた筒１５と、同筒１５の中に挿入し、前記容器１４張り出し部１４ａの底部上面１４ｂの上に開口部１３ａにおいて立ち上げた、開口部１３ａに切欠き部１３ｃのあるボトル１３とより構成され、図１０に示すように栽培用土５を前記筒２の内側を除き、前記容器１４の内側に必要量満たす。また、前記容器１４の張り出し部１４ａの張り出し根元部は開口１４ｃがあり、容器１４内の栽培用土５は途切れることなく連続している。
【００７１】
［実施例７の機能について説明する］
【００７２】
図１１により説明する。前記ボトル１３の中に水や液肥４を必要量満たした同ボトル１３の開口部１３aを先頭に、同ボトル１３を前記筒１５に素早く挿入すると、水や液肥４はボトル１３よりこぼれ、水や液肥４の水位は、ボトル１３の切欠き部１３ｃ切欠き高さＨ５より上の水位Ｌとなる。このときボトル１３の中の水や液肥４は流れ出ないで同ボトル１３内にとどまっている。
【００７３】
前記筒１５の底部に溜った水や液肥４は筒１５の底部から外に浸透し、さらに栽培用土５の上部へ浸透していき、前記筒１５の底部の水位Ｌが下がる。同水位Ｌが前記ボトル１３の開口部１３ａの切欠き部１３ｃ高さＨ５より下がると、同ボトル１３の中の水や液肥４は放出され、筒２の底部の水位Ｌが上がる。
矢符は水の流れ方向を示す。
【００７４】
前記ボトル１３内の水や液肥４が放出され、筒２の底部の水位Ｌが前記ボトル１３の開口部１３aの切欠き部１３ｃ高さＨ５より上がると、同ボトル１３内の水や液肥４の放出は停止される。
【００７５】
前記ボトル１３内の水や液肥４がなくなるまで、上述のように、同ボトル１３から同ボトル１３内の水や液肥４の、放出・停止を繰り返し、その間、前記容器１４内の栽培用土５に必要な水や液肥４を供給する。
【００７６】
本実施例７の特徴は、容器の下部に一部皿状の張り出し部を設けたことと、ボトル１３内の水や液肥４の放出を容易にするため、ボトル１３の開口部１３ａに切欠き部１３ｃを設けたことである。
【００７７】
［第３の栽培容器の実施例］
【００７８】
次に、第３の栽培容器の実施例について説明する。
第３の栽培容器の実施例は実施例８及び実施例９である。
【実施例８】
【００７９】
本発明の実施例８を図１２により説明する。図１２は実施例８の要部断面拡大図である。
［実施例１と異なる点］
【００８０】
実施例８に使用しているボトル１３の開口部１３aには切り欠き部１３ｃがある。開口部１３aの側壁１３ｂ外径に嵌っている、巻ブッシュ１６は、同巻ブッシュ１６の先端を斜めに切り落とした斜面１６aの位置をボトル１３の開口部１３aの切欠き部１３ｃとの相対位置をずらすことにより、水や液肥４の放出口となっている切り欠き部１３ｃの切欠き部高さＨ５を放出口高さＨ６に変え、放出量を調整することができる。
水や液肥４の放出量を調整できる巻ブッシュ１３を設けていることが、実施例１に比べて異なる点である。
【００８１】
［実施例８の構成について説明する］
【００８２】
本実施例８の栽培容器は容器１と、同容器１の中に挿入し、その底部上面に立ち上げた筒２と、同筒２の中に挿入し、前記容器１の底部の上に開口部おいて立ち上げたボトル１３と、ボトル１３の開口部１３aの側壁１３ｂ外径に嵌り、開口部１３a側の先端を斜めに切り落とされた巻ブッシュ１６とより構成され、さらに栽培用土５を前記筒２の内側を除き、前記容器１の内側に必要量満たす。
【００８３】
［実施例８の機能について説明する］
【００８４】
前記ボトル１３の中に水や液肥４を必要量満たした同ボトル１３の開口部１３aを先頭に、同ボトル１３を前記筒２に素早く挿入すると、水や液肥４はボトル１３よりこぼれ、水や液肥４の水位は、前記筒２の底部の水や液肥の水位は放出口高さＨ６より上の水位Ｌとなる。このときボトル１３の中の水や液肥４は流れ出ないで同ボトル１３内にとどまっている。
【００８５】
前記筒２の底部に溜った水や液肥４は筒２底部から外に浸透し、さらに栽培用土５の上部へ浸透していき、前記筒２の底部の水位Ｌが下がる。水位Ｌが放出口高さＨ６より下がると、同ボトル１３の中の水や液肥４は放出され、筒２の底部の水位Ｌが上がる。
矢符は水の流れ方向を示す。
【００８６】
前記ボトル１３内の水や液肥４が放出され、筒２の底部の水位Ｌが放出口高さＨ５より上がると、同ボトル１３内の水や液肥４の放出は停止される。
【００８７】
前記ボトル１３内の水や液肥４がなくなるまで、上述のように、同ボトル１３から同ボトル１３内の水や液肥４の、放出・停止を繰り返し、その間、前記容器１内の栽培用土５に必要な水や液肥４を供給する。
【００８８】
本実施例８の特徴は、ボトル１３内の水や液肥４の放出量を調節できる巻ブッシュ１６を設けていることである。
【実施例９】
【００８９】
本発明の実施例９を図１３により説明する。図１３は実施例９の要部断面拡大図である。
［実施例１と異なる点］
【００９０】
実施例９に使用しているボトル１７の開口部１７aの側壁１７ｂには弁取付けブロック１７ｃが取付けられている。同弁取付けブロック１７ｃには弁１８が取付けられている。同弁１８の先にはボトルの水や液の放出穴１７ｄが開けられおり、弁１８の先端部の進入程度により、ボトル１７の水や液肥４の放出量が調整できる。前記弁１８のネジ部にはロックナット１９が取付けられ、調整した放出量を固定できる。
実施例９は、水や液肥の放出量を調整できる弁１８を設けていることが、実施例１に比べて異なる点である。
【００９１】
［実施例９の構成について説明する］
【００９２】
本実施例９の栽培容器は容器１と、同容器１の中に挿入し、その底部上面に立ち上げた筒２と、同筒２の中に挿入し、前記容器１の底部の上にボトル開口部おいて立ち上げ、同ボトルの開口部１７ａ側壁１７ｂに取付けた弁取付けブロック１７ｃを取付けたボトル１４と、同弁取付けブロック１７ｃに取付けられた絞り弁１８と、同絞り弁１８の調整位置を固定するロックナット１９とより構成され、さらに栽培用土５を前記筒２の内側を除き、前記容器１の内側に必要量満たす。
前記絞り弁１８の先端鋭角部の先には、水や液肥４の放出穴１７ｄが開口部側壁に開いている。水や液肥４は放出穴１７ｄと絞り弁の先端鋭角部との隙間を通り、弁取付けブロック１７ｃの下側の放出口１７ｅを通り、筒２の底部に放出される。
空気取り入れの穴を開口部側壁１７ｂに開けてもよい。
【００９３】
［実施例９の機能について説明する］
【００９４】
前記ボトル１７の中に水や液肥４を必要量満たした同ボトル１７の開口部１７aを先頭に、同ボトル１７を前記筒２に素早く挿入すると、水や液肥４はボトル１７よりこぼれ、水や液肥４の水位は、ボトル１７開口部側壁部１７ｂの放出穴１７ｄ高さＨ７より上の水位Ｌとなる。このときボトル１７の中の水や液肥４は流れ出ないで同ボトル１７内にとどまっている。
【００９５】
前記筒２の底部に溜った水や液肥４は筒２底部から外に浸透し、さらに栽培用土５の上部へ浸透していき、前記筒２の中の水位Ｌが下がる。水位Ｌがボトル１７開口部側壁部１７ｂの放出穴１７ｄ高さＨ７より下がると、同ボトル１７の中の水や液肥４は放出穴１７ｄと絞り弁の先端鋭角部との隙間を通り、弁取付けブロック１７ｃの下側の放出口１７ｅを通り、筒２の底部に放出され、筒２底部の水位Ｌが上がる。
矢符は水の流れ方向を示す。
絞り弁の先端鋭角部の先と放出穴の隙間の程度により、水や液肥４の放出量を調整することができる。
水や液肥４の放出に対応する、空気流入用の穴を開口部側壁に開けてもよい。
【００９６】
前記ボトル１７内の水や液肥４が放出され、筒内の水位Ｌが前記ボトル１７開口部側壁部１７ｂの放出穴１７ｄ高さＨ７より上がると、同ボトル１７内の水や液肥４の放出は停止される。
【００９７】
前記ボトル１７内の水や液肥４がなくなるまで、上述のように、同ボトル１７から同ボトル１７内の水や液肥４の、放出・停止を繰り返し、その間、前記容器１内の栽培用土５に必要な水や液肥４を供給する。
【００９８】
本実施例９の特徴は、ボトル１７内の水や液肥４の放出量を調節できる絞り弁１８を設けていることである。
【符号の説明】
【００９９】
１            容器
２            筒
３            ボトル
３ａ          開口部
３ｂ          開口部側壁
３ｃ          開口部切欠き
４            水や液肥
５            栽培用土
６            金網
７            フタ
８            巻ブッシュ
８ａ          巻ブッシュ開口
９            フタ
１０          巻線
１１          フタ
１２          容器
１２ａ        容器底部の溝
１３          ボトル
１３ａ        開口部
１３ｂ        開口部側壁
１３ｃ        開口部切欠き
１４          容器
１４ａ        容器下部の張り出し部
１４ｂ        容器下部の張り出し部の底部
１４ｃ        容器下部の開口部
１５          筒
１６          斜めカットのある巻ブッシュ
１６ａ        巻ブッシュの斜面部
１７          ボトル
１７ａ        開口部
１７ｂ        開口部側壁
１７ｃ        弁取付けブロック
１７ｄ        放出穴
１７ｅ        弁取付けブロック放出口
１８          絞り弁
１９          ロックナット
Ｈ１          金網を挟んだボトル開口部と容器底部との隙間
Ｈ２          巻ブッシュに持ち上げられたボトル開口部と容器底部との隙間
Ｈ３          巻線に持ち上げられたボトル開口部と容器底部との隙間
Ｈ４          容器の溝深さ
Ｈ５          ボトル開口部の切欠き高さ
Ｈ６          巻ブッシュの斜面部により調節された放出部高さ
Ｈ７          ボトル開口部側壁の放出穴高さ
Ｌ            水位
←            水の流れ方向
【図１】
2011147433.tif 000003
【図２】
2011147433.tif 000004
【図３】
2011147433.tif 000005
【図４】
2011147433.tif 000006
【図５】
2011147433.tif 000007
【図６】
2011147433.tif 000008
【図７】
2011147433.tif 000009
【図８】
2011147433.tif 000010
【図９】
2011147433.tif 000011
【図１０】
2011147433.tif 000012
【図１１】
2011147433.tif 000013
【図１２】
2011147433.tif 000014
【図１３】
2011147433.tif 000015